(57)【要約】マルチキャリア無線通信システムにおけるＴｘダイバーシチを実施するＵＥ（３００）において複数のアンテナ（３２０，３２２）の１つを選択し、複数の搬送波が電力増幅器（３１４）を共用するような場合に、各々が異なる搬送波周波数に変調された２つ以上のアップリンク信号を統合して送信する方法（４００）と装置（３００）である。その方法（４００）と装置（３００）は、従来のＴｘダイバーシチの複数の方法が対立し矛盾するアンテナ選択の示唆を提供する場合においてさえ、複数の搬送波と関係する複数のチャネル条件に基づいてアンテナ（３２０，３２２）を選択する。
2013507825.tif 000002
【特許請求の範囲】
【請求項１】
マルチキャリア高速アップリンクパケットアクセス（ＭＣ−ＨＳＵＰＡ）無線通信ネットワークにおいてＴｘダイバーシチを実施するＵＥ（３００）によるアンテナ選択の方法（４００）であって、
前記ＵＥ（３００）は１つのアンテナ（３２０，３２２）を用いて、各々が異なる搬送波周波数に変調された２つ以上のアップリンク信号を送信するよう動作し、前記アンテナと同じアンテナ（３２０，３２２）を用いて送信される前記搬送波周波数に関し、
特定のアンテナ（３２０，３２２）を用いて信号を送信するとき、好適なアンテナ（３２０，３２２）を、各搬送波に関して受信したフィードバックに基づいて、当該搬送波周波数と関係づける工程（４０２）と、
各搬送波周波数に関係したチャネル条件を評価する工程（４０４）と、
１つ以上の搬送波周波数を前記チャネル条件に基づいて選択する工程（４０６）と、
前記選択された搬送波周波数に関係した前記好適なアンテナ（３２０，３２２）を選択する工程（４０８）とを有することを特徴とする方法。
【請求項２】
前記特定のアンテナ（３２０，３２２）を用いて信号を送信するときの搬送波に関するフィードバックは、送信電力制御（ＴＰＣ）コマンドを含むことを特徴とする請求項１に記載の方法。
【請求項３】
前記各搬送波周波数に関係したチャネル条件を評価する工程（４０４）は、各搬送波周波数に関係した１つ以上の品質の指標を含むことを特徴とする請求項１に記載の方法。
【請求項４】
前記品質の指標はサービング許可の値を含むことを特徴とする請求項３に記載の方法。
【請求項５】
前記品質の指標はスケジュールされた許可の値を含むことを特徴とする請求項３に記載の方法。
【請求項６】
前記品質の指標は、前記ＵＥ（３００）が前記各搬送波において用いる全送信電力を含むことを特徴とする請求項３に記載の方法。
【請求項７】
前記１つ以上の搬送波周波数を前記チャネル条件に基づいて選択する工程（４０６）は、前記選択されたアンテナ（３２０，３２２）を用いて送信される前記搬送波周波数全ての中で、最も有利であるとされた、関係したチャネル条件をもつ１つの搬送波周波数を選択する工程を含むことを特徴とする請求項３に記載の方法。
【請求項８】
前記最も有利であるとされた、関係したチャネル条件をもつ１つの搬送波周波数を選択する工程は、最も高い値のサービング許可の値をもつ搬送波周波数を選択する工程を含むことを特徴とする請求項７に記載の方法。
【請求項９】
前記最も有利であるとされた、関係したチャネル条件をもつ１つの搬送波周波数を選択する工程はさらに、前記最も高い値のサービング許可の値をもつ搬送波に対応する受信した送信電力制御（ＴＰＣ）コマンドに基づいて前記搬送波周波数を選択する工程を含むことを特徴とする請求項８に記載の方法。
【請求項１０】
前記１つ以上の搬送波周波数を前記チャネル条件に基づいて選択する工程（４０６）は、選択されたアンテナ（３２０，３２２）で送信される全ての搬送波周波数に関するチャネル条件の重み付け合計を形成する工程を含み、
前記好適なアンテナ（３２０，３２２）を選択する工程（４０８）は、最も重い重みが付けられた搬送波周波数に関係する好適なアンテナ（３２０，３２２）を選択する工程を含むことを特徴とする請求項３に記載の方法。
【請求項１１】
前記チャネル条件の重み付け合計を形成する工程は、前記選択されたアンテナ（３２０，３２２）で送信される搬送波周波数全てに関し、各々が重み付けされた第１のチャネル品質の指標を合計する工程を含み、該重み付けは、搬送波周波数に関する第２のチャネル品質の指標と前記搬送波周波数全てに関する前記第２のチャネル品質の指標の合計との比により前記第１のチャネル品質の指標各々が重み付けされることを特徴とする請求項１０に記載の方法。
【請求項１２】
前記チャネル条件の重み付け合計を形成する工程は、前記選択されたアンテナ（３２０，３２２）で送信される搬送波周波数全てに関するサービング許可の値の合計に対する各搬送波周波数に関するサービング許可の値の比により、当該各搬送波周波数に関して受信した送信電力制御（ＴＰＣ）コマンドを重み付けする工程を含むことを特徴とする請求項１１に記載の方法。
【請求項１３】
前記チャネル条件の重み付け合計を形成する工程はさらに、所定のファクタで各搬送波周波数を重み付けする工程を含むことを特徴とする請求項１１に記載の方法。
【請求項１４】
プライマリアップリンク搬送波周波数は、セカンダリアップリンク搬送波周波数より重い重み付けがなされることを特徴とする請求項１３に記載の方法。
【請求項１５】
前記１つ以上の搬送波周波数を前記チャネル条件に基づいて選択する工程（４０６）は、複数のチャネル品質の指標において、１つ以上所定の閾値を越えた１つ以上の搬送波周波数を選択する工程を含むことを特徴とする請求項３に記載の方法。
【請求項１６】
各搬送波周波数に対する前記閾値は、前記選択されたアンテナ（３２０，３２２）を用いて送信される他の全ての搬送波周波数に関する対応する複数のチャネル品質の指標の最大値により当該各搬送波周波数に関するチャネル品質の指標を除算した値であることを特徴とする請求項１５に記載の方法。
【請求項１７】
各搬送波周波数に対する前記所定の閾値は、前記ネットワークにより構成設定されることを特徴とする請求項１５に記載の方法。
【請求項１８】
各搬送波周波数に対する前記所定の閾値は、Ｌ３シグナリングを介して無線ネットワーク制御装置（ＲＮＣ）により構成設定されることを特徴とする請求項１７に記載の方法。
【請求項１９】
前記搬送波周波数に対する前記所定の閾値は、ただ１つの所定の搬送波周波数が選択されるようになっていることを特徴とする請求項１７に記載の方法。
【請求項２０】
前記１つ以上の搬送波周波数を前記チャネル条件に基づいて選択する工程（４０６）は、業界標準により規定された規則に基づいて１つ以上の搬送波周波数を選択する工程を含むことを特徴とする請求項１に記載の方法。
【請求項２１】
前記１つ以上の搬送波周波数を前記チャネル条件に基づいて選択する工程（４０６）は、前記ＵＥ（３３０）のサービングノードにより規定され、Ｌ１／Ｌ２シグナリングを介して前記ＵＥ（３００）に送信される規則に基づいて、１つ以上の搬送波周波数を選択する工程を含むことを特徴とする請求項１に記載の方法。
【請求項２２】
前記１つ以上の搬送波周波数を前記チャネル条件に基づいて選択する工程は、ネットワークノードにより規定され、Ｌ３シグナリングを介して前記ＵＥ（３００）に送信される規則に基づいて、１つ以上の搬送波周波数を選択する工程を含むことを特徴とする請求項１に記載の方法。
【請求項２３】
マルチキャリア高速アップリンクパケットアクセス（ＭＣ−ＨＳＵＰＡ）無線通信ネットワークにおいてＴｘダイバーシチを実施するユーザ装置（ＵＥ）（３００）であって、
前記ＵＥ（３００）は１つのアンテナ（３２０，３２２）を用いて、各々が異なる搬送波周波数に変調された２つ以上のアップリンク信号を送信するよう動作し、
少なくとも１つの送信電力増幅器（３１４）と、
２つ以上のアンテナ（３２０，３２２）と、
前記２つ以上のアンテナ（３２０，３２２）の１つに二者択一的に前記電力増幅器の出力を向けるように動作するスイッチ機能（３１６）と、
前記ネットワークからの少なくともチャネル条件のフィードバックを受信するよう動作する受信器（３２６）と、
異なる複数の搬送波周波数で２つ以上の信号を送信するためのアンテナ（３２０，３２２）を選択するように前記スイッチ機能（３１６）を制御するよう動作するアンテナ選択機能（３２４）とを有し、
前記アンテナ選択機能（３２４）はさらに、
特定のアンテナ（３２０，３２２）を用いて信号を送信するとき、好適なアンテナ（３２０，３２２）を、各搬送波に関して受信したフィードバックに基づいて、当該搬送波周波数と関係づけ（４０２）、
各搬送波周波数に関係するチャネル条件を評価し（４０４）、
前記チャネル条件に基づいて１つ以上の搬送波周波数を選択し（４０６）、
前記選択した搬送波周波数に関係した前記好適なアンテナを選択する（４０８）よう動作することを特徴とするユーザ装置。
【請求項２４】
前記特定のアンテナ（３２０，３２２）を用いて信号を送信するときの搬送波に関するフィードバックは、送信電力制御（ＴＰＣ）コマンドを含むことを特徴とする請求項２３に記載のユーザ装置。
【請求項２５】
前記アンテナ選択機能（３２４）は、各搬送波周波数に関係した１つ以上の品質の指標を評価することにより、前記各搬送波周波数に関係したチャネル条件を評価する（４０４）よう動作することを特徴とする請求項２３に記載のユーザ装置。
【請求項２６】
前記品質の指標はサービング許可の値を含むことを特徴とする請求項２５に記載のユーザ装置。
【請求項２７】
前記品質の指標はスケジュールされた許可の値を含むことを特徴とする請求項２５に記載のユーザ装置。
【請求項２８】
前記品質の指標は、前記ＵＥ（３００）が前記各搬送波において用いる全送信電力を含むことを特徴とする請求項２５に記載のユーザ装置。
【請求項２９】
前記アンテナ選択機能（３２４）は、前記選択されたアンテナ（３２０，３２２）を用いて送信される前記搬送波周波数全ての中で、最も有利であるとされた、関係したチャネル条件をもつ１つの搬送波周波数を選択することにより、１つ以上の搬送波周波数を前記チャネル条件に基づいて選択するよう動作することを特徴とする請求項２５に記載のユーザ装置。
【請求項３０】
前記最も有利であるとされた、関係したチャネル条件をもつ１つの搬送波周波数を選択することは、最も高い値のサービング許可の値をもつ搬送波周波数を選択することを含むことを特徴とする請求項２９に記載のユーザ装置。
【請求項３１】
前記最も有利であるとされた、関係したチャネル条件をもつ１つの搬送波周波数を選択することはさらに、前記最も高い値のサービング許可の値をもつ搬送波に対応する受信した送信電力制御（ＴＰＣ）コマンドに基づいて前記搬送波周波数を選択することを含むことを特徴とする請求項３０に記載のユーザ装置。
【請求項３２】
前記アンテナ選択機能（３２４）は、選択されたアンテナ（３２０，３２２）で送信される全ての搬送波周波数に関するチャネル条件の重み付け合計を形成することにより、１つ以上の搬送波周波数を前記チャネル条件に基づいて選択する（４０６）よう動作し、
前記アンテナ選択機能（３２４）は、最も重い重みが付けられた搬送波周波数に関係する好適なアンテナ（３２０，３２２）を選択することにより、前記好適なアンテナ（３２０，３２２）を選択する（４０８）よう動作することを特徴とする請求項２５に記載のユーザ装置。
【請求項３３】
前記チャネル条件の重み付け合計を形成することは、前記選択されたアンテナ（３２０，３２２）で送信される搬送波周波数全てに関し、各々が重み付けされた第１のチャネル品質の指標を合計することを含み、該重み付けは、搬送波周波数に関する第２のチャネル品質の指標と前記搬送波周波数全てに関する前記第２のチャネル品質の指標の合計との比により前記第１のチャネル品質の指標各々が重み付けされることを特徴とする請求項３２に記載のユーザ装置。
【請求項３４】
前記チャネル条件の重み付け合計を形成することは、前記選択されたアンテナ（３２０，３２２）で送信される搬送波周波数全てに関するサービング許可の値の合計に対する各搬送波周波数に関するサービング許可の値の比により、当該各搬送波周波数に関して受信した送信電力制御（ＴＰＣ）コマンドを重み付けすることを含むことを特徴とする請求項３３に記載のユーザ装置。
【請求項３５】
前記チャネル条件の重み付け合計を形成することはさらに、所定のファクタで各搬送波周波数を重み付けすることを含むことを特徴とする請求項３３に記載のユーザ装置。
【請求項３６】
プライマリアップリンク搬送波周波数は、セカンダリアップリンク搬送波周波数より重い重み付けがなされることを特徴とする請求項３５に記載のユーザ装置。
【請求項３７】
前記アンテナ選択機能（３２４）は、複数のチャネル品質の指標において１つ以上所定の閾値を越えた１つ以上の搬送波周波数を選択することにより、１つ以上の搬送波周波数を前記チャネル条件に基づいて選択する（４０６）よう動作することを特徴とする請求項３に記載のユーザ装置。
【請求項３８】
各搬送波周波数に対する前記閾値は、前記選択されたアンテナ（３２０，３２２）を用いて送信される他の全ての搬送波周波数に関する対応する複数のチャネル品質の指標の最大値により当該各搬送波周波数に関するチャネル品質の指標を除算した値であることを特徴とする請求項３７に記載のユーザ装置。
【請求項３９】
各搬送波周波数に対する前記所定の閾値は、前記ネットワークにより構成設定されることを特徴とする請求項３７に記載のユーザ装置。
【請求項４０】
各搬送波周波数に対する前記所定の閾値は、Ｌ３シグナリングを介して無線ネットワーク制御装置（ＲＮＣ）により構成設定されることを特徴とする請求項３９に記載のユーザ装置。
【請求項４１】
前記搬送波周波数に対する前記所定の閾値は、ただ１つの所定の搬送波周波数が選択されるようになっていることを特徴とする請求項３９に記載のユーザ装置。
【請求項４２】
前記アンテナ選択機能（３２４）は、業界標準により規定された規則に基づいて１つ以上の搬送波周波数を選択することにより、１つ以上の搬送波周波数を前記チャネル条件に基づいて選択する（４０６）よう動作することを特徴とする請求項２３に記載のユーザ装置。
【請求項４３】
前記アンテナ選択機能（３２４）は、前記ＵＥ（３３０）のサービングノードにより規定され、Ｌ１／Ｌ２シグナリングを介して前記ＵＥ（３００）に送信される規則に基づいて、１つ以上の搬送波周波数を選択することにより、１つ以上の搬送波周波数を前記チャネル条件に基づいて選択する（４０６）よう動作することを特徴とする請求項２３に記載のユーザ装置。
【請求項４４】
前記アンテナ選択機能（３２４）は、ネットワークノードにより規定され、Ｌ３シグナリングを介して前記ＵＥ（３００）に送信される規則に基づいて、１つ以上の搬送波周波数を選択することにより、１つ以上の搬送波周波数を前記チャネル条件に基づいて選択する（４０６）よう動作することを特徴とする請求項２３に記載のユーザ装置。
【発明の詳細な説明】
【技術分野】
【０００１】
本発明は一般には無線通信に関し、特に、２つ以上の搬送波周波数に変調された複数の信号が統合され１つ以上の利用可能なアンテナで送信される場合におけるアップリンク・マルチキャリア送信ダイバーシチにおけるアンテナ選択のための方法及び装置に関する。
【背景技術】
【０００２】
無線通信ネットワークの技術仕様を公表し、規定する第３世代パートナーシッププロジェクト（３ＧＰＰ）の業界団体は、高速パケットアクセス（ＨＳＰＡ）のような数多くの標準を規定してきた。３ＧＰＰはＨＳＰＡにおけるアップリンクのためのマルチキャリア動作を導入した。その標準化のリリース９では、２つの信号各々は隣接する５ＭＨｚのアップリンク搬送波周波数（ここでは“搬送波”として言及）に変調され、同じユーザ機器（ＵＥ）からサービング基地局（ノードＢ或いはｅノードＢ）も向かって並列に送信されることを可能にしている。マルチキャリア・アップリンクは実質的にユーザ性能とシステム性能の両方を向上させる可能性をもっている。２つの搬送波の技術仕様は、デュアルセル高速アップリンクパケットアクセス（ＤＣ−ＨＳＵＰＡ）の動作として知られている。これらの搬送波は同じ周波数帯で隣接しているので、そのバンド幅を２倍にした単一のマルチキャリア電力増幅器（ＰＡ）を用いて両方の搬送波に変調された信号を送信することが技術的には可能であり、これは単一周波数のＰＡを２つ並列に用いるのと比較してより経済的な解決策を提供するかもしれない。通常の条件下では、２つの搬送波は互いに独立に運用され、例えば、各搬送波は電力制御やサービング許可やＥ−ＴＦＣ選択やＨＡＲＱ再送についてそれ自身のメカニズムをもつ。
【０００３】
高速アップリンクパケットアクセス（ＨＳＵＰＡ）環境におけるアップリンク送信（Ｔｘ）ダイバーシチの潜在的な利点について評価が行われつつある（例えば、非特許文献１を参照）。アップリンク送信ダイバーシチを用いると、２つ以上の送信アンテナを備えたＵＥはそれらの全てを利用することができる。このことは、アップリンク信号ｓ（ｔ）を複素重みｗiのセットで乗算し、図１に描かれているように、２つ以上のアンテナからその信号を送信することにより達成される。なお、ｉ＝１……Ｎであり、Ｎは送信アンテナの数を示す。一般に、送信アンテナａ1……ａNから受信アンテナｂ1……ｂMへの各経路はエアインタフェースを通過する場合に異なるチャネル特性ｈn,mをもつ。
【０００４】
アップリンク送信ダイバーシチの論理的根拠は、重みｗiを適合してユーザとネットワークの性能を最大化することである。ＵＥの実施形に依存して、アンテナ重みｗiは異なる制約と関係づけられるかもしれない。３ＧＰＰにおいては、２つのクラスが考慮される。即ち、ビームフォーミングとアンテナダイバーシチである。
【０００５】
ビームフォーミングは、これにより任意の時間にＵＥが２つ以上のアンテナから同時に送信を行うことができる技術である。ビットフォーミングという名称は、異なる複数のアンテナから送信される信号の位相と振幅とを制御してその波面において建設的な干渉と破壊的な干渉のパターンを作り出し、効果的に所望の空間方向における利得を変化させる技術に由来している。異なる複数のアンテナからの差分信号が送信されるので、ビームフォーミングでは一般に各アンテナを駆動するために別々のＰＡを必要とする。
【０００６】
切り換えアンテナのダイバーシチにおいて、ＵＥは任意の時間に複数のアンテナのただ１つから送信を行う。従って、再び図１を参照すると、もしｗi≠０であれば、ｊ≠ｉである全てのｊについてｗj＝０である。切り換えアンテナのダイバーシチを用いると、ＵＥは単一のＰＡを用い、単純にその出力を選択されたアンテナに切り換えれば良い。切り換えアンテナのダイバーシチはビームフォーミングの特別な場合と考えられ、ここで、１つのアンテナの重みは１（即ち、スイッチオン）であり、他の全てのアンテナの重みは０（即ち、スイッチオフ）である。
【０００７】
いずれの場合でも、Ｔｘダイバーシチの使用の決定とアンテナ重みの選択とはネットワーク或いはＵＥによりなされる。
【０００８】
ノードＢは、Ｔｘダイバーシチが適用されるべきかどうかを述べるＵＥへの明示的なフィードバックを提供すると良く、もしそうであれば、信号を送信するときにどの重みをＵＥが用いるべきであるかをフィードバックすると良い。
【０００９】
或いは、ＵＥが自律的にＴｘダイバーシチが適用されるべきかどうかを決定する。この決定をするために、ＵＥは、必要なＨＡＲＱ再送の数、ダウンリンクチャネル品質インジケータ（ＣＱＩ）、或いはＵＥ送信電力の余裕（ＵＰＨ）測定のような、現存するチャネル品質のインジケータと測定結果とを監視すると良い。例えば、ＣＱＩとＵＰＨとの内の少なくともいずれかが低くなるなら、ＵＥは悪いカバレッジ領域におり、おそらくはＴｘダイバーシチを起動するのには利点があると結論するかもしれない。
【００１０】
加えて、ＵＥは自律的にアンテナ重みｗiを決定しても良い。ｗiを選択するために、ＵＥは、部分的専用物理制御チャネル（Ｆ−ＤＰＣＨ）のような他の目的のために送信されたものを含め、現存するフィードバックチャネルを監視すると良い。例えば、もし、ＵＥが多数の連続する送信電力制御（ＴＰＣ）ＵＰコマンドをサービングセルからＦ−ＤＰＣＨで受信するなら、ＵＥはアンテナｗiを変更することにより他のＴｘアンテナに切り換えることにはおそらく益があると結論するかもしれない。
【００１１】
アップリンク送信ダイバーシチの基本的な目標は、有効なチャネルにおける変動を十分に利用し尽くすことにある。ここで用いられているように、“有効なチャネル”という用語は、送信アンテナ、送信アンテナ重み、受信アンテナ、さらには送信アンテナと受信アンテナとの間の無線チャネルの効果も組み込むものである。切り換えアンテナのダイバーシチにおいて、そしておそらくはビームフォーミングにおいても、アンテナ重みｗiは突然に変更される。例えば、アンテナ１で送信しているＵＥがアンテナ２での送信に全体を或いはかなりの部分を切り換えるなら、ｗ1、ｗ2は（ほどんど）１，０から０，１に変化するであろう。その結果、受信ノードＢにより知覚される有効なチャネルは突然に変化するかもしれない。
【先行技術文献】
【非特許文献】
【００１２】
【非特許文献１】３ＧＰＰ  Ｔｄｏｃ  ＲＰ−０９０９８７，３ＧＰＰ作業項目説明：ＨＳＰＡのためのアップリンクＴｘダイバーシチ（3GPP Work Item Description: Uplink Tx Diversity for HSPA）
【発明の概要】
【発明が解決しようとする課題】
【００１３】
従来技術によるシステムでは、ＵＥは常に１つのアンテナから送信をしているという仮定に基づいてＷＣＤＭＡ／ＨＳＰＡが機能することが可能であった。その結果、チャネル推定と干渉推定とは通常、ノードＢにより測定される瞬間的なチャネルと干渉とがフィルタされたバージョンに基づいていた。それ故に、ＵＥがそのアンテナ重みを変更した場合にはいつでも、−特に、その変更が切り換えアンテナのダイバーシチにおけるように突然であるなら、受信器により用いられるチャネル推定は不正確になる。これは受信器の性能を悪化させるものとなる。加えて、アップリンク送信ダイバーシチによる結果、ノードＢにおける受信電力が不連続となり、ループ電力制御を乱す過渡的な状態になる。
【００１４】
ＵＥとノードＢとの間の有効なチャネルが変化したときにはいつでも、電力の不連続性がノードＢにおいて発生する。この不連続性は、送信アンテナと受信アンテナとの間の無線チャネルが異なるという事実と、２つの送信アンテナのアンテナ利得が異なるという事実とが組み合わされた効果であろう。
【００１５】
アンテナの切り換え（或いは、アンテナ重みの急速な変化）もまた、インナーループ電力制御（ＩＬＰＣ）とアウタループ電力制御（ＯＬＰＣ）が落ち着くまでの遷移期間が生じるという結果を生み出す。もし、電力の不連続性がアンテナ重みの突然の変化が原因となることにノードＢが気付いたなら、その後の振る舞いを、例えば、ＯＬＰＣを凍結することにより調整するであろう。
【００１６】
従って、多くの理由のために、従来のＴｘダイバーシチにおいて不必要なアンテナ切り換えは回避されるべきである。マルチキャリア動作は、Ｔｘダイバーシチの決定に付加的な困難さを導入することになる。
【００１７】
Ｔｘダイバーシチのアルゴリズムに対する１つの基本は、サービングノードＢからＦ−ＤＰＣＨにより送信されるＴＰＣ  ＵＰ／ＤＯＷＮコマンドのような利用可能なチャネル品質の情報である。しかしながら、アップリンクＴｘダイバーシチがアップリンク・マルチキャリア動作（例えば、ＤＣ−ＨＳＵＰＡ）と結びつけられた場合、シングルキャリアＴｘダイバーシチＵＥアルゴリズムをどのようにマルチキャリア動作に適合するべきなのかは全く不明瞭である。
【００１８】
例えば、もしＵＥが複数のアップリンク搬送波のサブセットについて多数のＴＰＣ  ＵＰコマンドを受信し、そして、同時に他のいくつかの搬送波についてのＴＰＣ  ＤＯＷＮコマンドを受信するなら、ＵＥが異なる複数の搬送波に関連した複数のＴＰＣコマンドの間で優先度を付けるべきか、またそのような場合、どのように優先度を付けるべきかは明らかではない。異なる複数のアップリンク搬送波はおそらくは、例えば、無線伝播、トラフィック負荷、干渉などに関した異なる条件と関係づけられるかもしれないので、このシナリオは現実的なものである。従って、マルチキャリア動作の導入は、アップリンクＴｘダイバーシチを実装する従来の多くのアルゴリズムを非常に複雑なものとしたり、これらのアルゴリズムを動作不能なものとしてしまう。
【課題を解決するための手段】
【００１９】
本発明の１つ以上の実施例が説明され、特許の請求がなされるが、本発明の実施例により、マルチキャリア無線通信システムにおけるＴｘダイバーシチを実装するＵＥにおいて複数のアンテナの１つを選択し、複数の搬送波が電力増幅器を共用するような場合に、各々が異なる搬送波周波数に変調された２つ以上のアップリンク信号を統合して送信する方法と装置が備えられる。その方法と装置は、従来のＴｘダイバーシチの複数の方法が対立し矛盾したアンテナ選択の示唆を提供する場合においてさえ、複数の搬送波と関係する複数のチャネル条件に基づいてアンテナを選択する。
【００２０】
１つの実施例は、ＭＣ−ＨＳＵＰＡ無線通信ネットワークにおいてＴｘダイバーシチを実装するＵＥによるアンテナ選択の方法に関するもので、そのＵＥは１つのアンテナを用いて、各々が異なる搬送波周波数に変調された２つ以上のアップリンク信号を送信するよう動作する。同じアンテナを用いて送信される搬送波周波数に関し、特定のアンテナを用いて信号を送信するとき、好適なアンテナが、各搬送波に関して受信したフィードバックに基づいて、その周波数と関係づけられる。各搬送波周波数に関係したチャネル条件が評価される。１つ以上の搬送波周波数がそのチャネル条件に基づいて選択され、その選択された搬送波周波数に関係した好適なアンテナが送信のために選択される。
【００２１】
別の実施例は、ＭＣ−ＨＳＵＰＡ無線通信ネットワークにおいてＴｘダイバーシチを実装するＵＥに関するもので、そのＵＥは１つのアンテナを用いて、各々が異なる搬送波周波数に変調された２つ以上のアップリンク信号を送信するよう動作する。そのＵＥは、少なくとも１つの送信電力増幅器と、２つ以上のアンテナと、これらのアンテナの１つに二者択一的に電力増幅器の出力を向けるように動作するスイッチ機能とを含む。そのＵＥはまた、ネットワークからの少なくともチャネル条件のフィードバックを受信するよう動作する受信器と、異なる複数の搬送波周波数で２つ以上の信号を送信するためのアンテナを選択するようにスイッチ機能を制御するよう動作するアンテナ選択機能とを含む。そのアンテナ選択機能はさらに、特定のアンテナを用いて信号を送信するとき、好適なアンテナを、各搬送波に関して受信したフィードバックに基づいて、その搬送波周波数と関係づけ、各搬送波周波数に関係するチャネル条件を評価し、そのチャネル条件に基づいて１つ以上の搬送波周波数を選択し、その選択した搬送波周波数に関係した好適なアンテナを選択するよう動作する。
【図面の簡単な説明】
【００２２】
【図１】送信ダイバーシチアンテナアレイの機能ブロック図である。
【図２】２つの搬送波周波数に割当てられた送信電力のグラフを示す図である。
【図３】２つの搬送波周波数に変調された信号が、１つのアンテナ、１つの電力増幅器を用いて送信される場合におけるＤＣ−ＨＳＰＡのＵＥ送信器の一部を示す機能ブロック図である。
【図４】図３に示すＵＥに関し、アンテナ選択の方法を示すフローチャートである。
【発明を実施するための形態】
【００２３】
ＭＣ−ＨＳＵＰＡの動作において、ノードＢにおけるスケジューラは複数のＵＥに搬送波固有のスケジュールされた許可を与える。スケジュールされた許可は絶対許可チャネル（Ｅ−ＡＧＣＨ）により送信され、その許可は、Ｅ−ＤＣＨの専用物理データ制御チャネル（Ｅ−ＤＰＤＣＨ）と専用物理制御チャネル（ＤＰＣＣＨ）との間の許可された最大電力比を表現している（３ＧＰＰ  ＴＳ  ２５．３２１を参照）。スケジュールされた許可はサービングノードＢ或いは非サービングノードＢにより相対許可だけ増減される。その相対許可は相対許可チャネル（Ｅ−ＲＧＣＨ）で送信される。ＵＥの許可レベルはそのＵＥにおいて内部的にサービング許可として維持される。そのサービング許可は受信した相対許可当り調整され、スケジュールされた許可がＥ−ＡＧＣＨにより受信されたときに、そのスケジュールされた許可にリセットされる。
【００２４】
図２はノードＢのスケジューラが複数のアップリンク搬送波周波数の１つ（或いはサブセット）に高い値の許可を与え、他の複数の搬送波周波数には低い値の許可を与えた場合を描いている。これは、複数のＵＥが有利な特性をもつ複数の搬送波を使用し、複数のＵＥ間での利用状況を調整しセル内の干渉が最小化されるのを可能にするので利点があるかもしれない。そのような場合、ＵＥは、低い値の許可をもつ搬送波と関係するＴＰＣコマンドに基づいて送信アンテナの変更を実行するようにとの動機づけは与えられないであろう。
【００２５】
いくつかの送信電力増幅器が２つ以上の搬送波の間で共用されるＵＥにおいて、Ｔｘダイバーシチは、そのことがＵＥがその電力の大部分を消費する搬送波がアンテナを切り換えた後により劣悪なチャネル条件を経験することを意味するなら、すぐに逆効果となるであろう。
【００２６】
そのような状況は、図３に描かれたもののようなＵＥトランシーバのアーキテクチュアにおいて生じるかもしれない。図３のアーキテクチュアでは、２つ以上の搬送波周波数に変調された信号が電力増幅器を共用し、ＵＥはアップリンクＴｘダイバーシチを実施する。特に、ＵＥ３００において、複数の信号は処理ブロック３０２（搬送波１）と処理ブロック３０４（搬送波２）において異なる搬送波周波数へと変調される。処理ブロック３０２、３０４は、変調、符号化、拡散パルスシェイピングなどを各搬送波周波数において実行する。処理ブロック３０２、３０４からの変調された信号は加算器３０６においてコンバインされる。そのコンバインされた信号はデジタル／アナログ変換器３０８においてアナログ形式に変換され、フィルタ３１０において低帯域だけが通過する。なお、（搬送波１と搬送波２とが隣接し、夫々が５ＭＨｚのバンド幅をもった搬送波周波数であると仮定すると）コンバインされた信号は１０ＭＨｚの広がりがある。そのコンバインされた信号はミキサ３１２でアップコンバートされ、共用電力増幅器３１４において増幅される。スイッチ機能３１６はＰＡ３１４の出力を２つのデュープレクサ３１７、３１８の内の１つの送信器入力へと切り換える。２つのデュープレクサ３１７、３１８はサービングノードＢに送信を行うアンテナ３２０、３２２に夫々接続されている。
【００２７】
スイッチ機能３１６はアンテナ選択機能３２４により制御される。本発明の実施例に従えば、アンテナ選択機能３２４は、デュープレクサ３１７、３１８の受信器出力に接続される受信器３２６により受信されるフィードバック或いはチャネル品質の指標により示唆されるように、各搬送波周波数に関係するチャネル条件を考慮することによりＴｘダイバーシチを実施する。図３は１つのＰＡ３１４を共用する２つの搬送波周波数と２つのアンテナ３２０、３２２しか描いていないが、当業者であればすぐに本発明の実施例が３つ以上のアップリンク搬送波周波数と３つ以上のアンテナ３２０、３２２との内の少なくともいずれかをもち、少なくとも２つの搬送波周波数が１つのＰＡ３１４を共用するマルチキャリアＵＥにおけるＴｘダイバーシチに適用可能であることを認識するであろう。さらにその上、当業者であれば、アンテナ選択機能３２４が、何らかの特定の実施形に対して望まれたり、或いは、要求される、アプリケーション専用集積回路（ＡＳＩＣ）のような専用ハードウェア、適切なファームウェアを備えたフィールドプログラマブルゲートアレイ（ＦＰＧＡ）のようなプログラム可能なロジック回路、プロセッサ或いはデジタル信号プロセッサ（ＤＳＰ）で実行する１つ以上のソフトウェアモジュール、或いは、これらのいずれかの組み合わせにおいて実現されることを認識するであろう。
【００２８】
図４は、Ｔｘダイバーシチを実施するＵＥ３００において複数の利用可能なアンテナ３２０、３２２から１つのアンテナ３２０、３２２を選択する方法４００を描いている。ここで、２つ以上の信号各々は異なる搬送波周波数に変調され、それらが同じアンテナ３２０、３２２で送信される（例えば、図３で描かれているように、複数の搬送波がＰＡ３１４を共用する）。ＵＥ３００の動作中、複数の搬送波が異なる複数のアンテナ３２０、３２２で送信されるとき、受信器３２６で受信されるフィードバックが解析され、好適なアンテナ３２０、３２２が各搬送波周波数に関係づけられる（ブロック４０２）。例えば、そのフィードバックは、異なるアンテナ３２０、３２２から送信されるとき、搬送波がネットワークによりどれほどうまく受信されたのかを示唆するＴＰＣコマンドを含むかもしれない。好適なアンテナと各搬送波との関係づけは動的なものであり、図４における破線で示したループバックパスによって示唆されるように、搬送波フィードバックに基づいてＵＥ３００の動作中に変更するかもしれない。搬送波は初期的には好適なアンテナ３２０、３２２にランダムに或いは所定のパターンに従って割当てられると良い。
【００２９】
マルチキャリア動作中、各搬送波は他の搬送波とは独立に動作する。従って、各搬送波は、電力制御、サービング許可、Ｅ−ＴＦＣ選択、ＨＡＲＱ再送などに対してそれ自身の制御メカニズムをもっている。ＵＥ３００の動作中、アンテナ選択機能３２４は受信器３２６により受信した各搬送波に対するチャネル品質の指標を監視し、各搬送波周波数に関係するチャネル条件を評価する（ブロック４０４）。ＵＥ３００に２つ以上の継続中のマルチキャリア・アップリンク送信がある、即ち、複数のアップリンク信号が異なる搬送波周波数へと変調され送信準備完了した状態にあり、（例えば、ＰＡ３１４を共用するために）アンテナ３２０、３２２を共用しなければならないとき、アンテナ選択機能３２４は各搬送波に関係するチャネル条件に基づいて１つ以上の搬送波周波数を選択する（ブロック４０６）。ここでより十分に検討したように、１つ以上の搬送波周波数を選択するステップは本発明の異なる実施例に従って、異なる方法で実行されても良い。それから、選択された搬送波周波数に関係した好適なアンテナ３２０、３２２がマルチキャリア信号の統合して送信するために選択される（ブロック４０８）。
【００３０】
１実施例では、アンテナ選択機能３２４は、受信器３２６により受信したチャネル品質の指標により示唆されるように、最良のチャネル条件を経験する単一の搬送波に基づいて、異なる複数の周波数へと変調された２つ以上の信号を統合して送信するためにアンテナ３２０、３２２を選択する。
【００３１】
１つの非限定的な例として、その選択は最も高い値のサービング許可をもつ搬送波に対応するＦ−ＤＰＣＨで受信したＴＰＣコマンドに基づいていても良い。この選択原理は、ユーザスループットは最も高い値で許可された搬送波に大きく依存しているという点である。この搬送波に対する有利な伝播条件を保証することはさらに、（任意の速度において）ＵＥ３００が干渉をあまり生じさせないという結果になろう。このアンテナ選択のアルゴリズムは、各ＵＥ３００にその搬送波の内の１つだけに重要な許可を与えるというスケジューリング方策と互換性がある。ノードＢによりサービスを受けるセルに多くのユーザがいるときのような一定のシナリオに対しスケジューリング方策は適切である。この場合、重要な許可が与えられた搬送波での条件は、他の搬送波での条件よりも重要なものであるべきである。
【００３２】
異なる搬送波のチャネル条件を示すチャネル品質の指標は、上述したようなサービング許可、或いは、その代わりに、サービングノードＢにより発行されたスケジュールされた許可、或いは、さらにその代わりとして、ＵＥ３００が各搬送波において利用する全送信電力を含むと良い。
【００３３】
別の実施例では、アンテナ選択機能３２４は、同じＰＡ３１４を共用する全てのアクティブな搬送波についての条件の重み付け判断に基づいて、異なる複数の周波数へと変調された２つ以上の信号を統合して送信するためにアンテナ３２０、３２２を選択する。１つの非限定的な例として、その選択は重み付けされたＴＰＣコマンドに基づいていても良い。ここで、特定の搬送波に対してＴＰＣコマンドに関係した重みは、個々の搬送波条件を反映する搬送波固有の特性により決定される。一例として、各搬送波のＴＰＣコマンドは、全てのアクティブな搬送波のサービング許可の値の合計に対する特定の搬送波に対するサービング許可の比で重み付けされると良い。或いはその代わりに、先に検討したように、それらの重みは、スケジュールされた許可、或いは、ＵＥ３００が同じＰＡ３１４を用いて送信される各搬送波について利用する全送信電力に基づいていても良い。
【００３４】
さらに別の実施例では、アンテナ選択機能３２４は、ある時点、或いは、特定の期間にわたって閾値を超えるチャネル品質の指標がある搬送波に基づいて、異なる複数の周波数へと変調された２つ以上の信号を統合して送信するためにアンテナ３２０、３２２を選択する。１つの実施例では、その閾値は絶対的な閾値である。この実施例の例は、チャネル品質の指標としてサービング許可を用い、アンテナ選択に関して、ＳＧi＞閾値となるような搬送波ｉを考慮する。別の実施例では、その閾値は相対的な閾値である。この実施例の例では、再び品質の指標としてサービング許可を用いるが、ＳＧi／ｍａｘj≠i（ＳＧj）＞閾値となるような搬送波ｉを考慮する。ここで、ＳＧjは搬送波ｊに関係するサービング許可に言及するものである。即ち、搬送波ｉを除く、同じＰＡ３１４を用いて送信される搬送波ｊのサービング許可の最大値に対する搬送波ｉのサービング許可の比を用いるのである。もちろん、スケジュールされた許可や全送信電力のようなチャネル品質の指標が、サービング許可の代わりに考慮されても良い。いずれの場合でも、閾値と比較する動作の結果、考慮されている２つ以上の搬送波があるなら、１つの搬送波が前に説明したいずれの実施例に従って選択されると良い（即ち、最良のチャネル条件をもつ搬送波を選択したり、或いは、閾値を通過する搬送波のチャネル条件の重み付け判定を形成するのである）。
【００３５】
１つの実施例では、その閾値は搬送波固有のものでも良い。即ち、ネットワークは異なる複数の搬送波周波数に対して異なる（絶対的、或いは、相対的）閾値を指定すると良いのである。これらは、例えば、無線ネットワーク制御装置（ＲＮＣ）により構成設定され、Ｌ３シグナリングによりＵＥ３００に通信されると良い。１つの実施例では、そのネットワークは複数の閾値により所定の搬送波周波数に関係するアンテナの選択を効果的に強制する。例えば、（スケジュールされないトラフィックとスケジュールされたトラフィックの両方を搬送する）ＤＣ−ＨＳＵＰＡの概念における所謂、プライマリアップリンク周波数が（スケジュールされたトラフィックだけを搬送する）セカンダリアップリンク周波数よりも有利に働くであろう。
【００３６】
ここで説明した実施例において、搬送波を選択したり、重み付けしたり、或いは、閾値との比較処理をするための規則は、異なる複数の実施例において、ＵＥ３００の実装の特徴に考慮されたり、業界の技術標準において前もって規定されたり、サービングノードＢにより決定されＬ１／Ｌ２シグナリングによりＵＥ３００に送信されたり、或いは、サービングＲＮＣか他のネットワークノードにより構成設定されＬ３シグナリングにより（即ち、無線資源制御或いはＲＲＣシグナリングを用いて）ＵＥ３００に通信されても良い。
【００３７】
本発明の実施例は、例えば、１つの搬送波のチャネル条件が１つのアンテナを示唆し、別の搬送波のチャネル条件が異なるアンテナを示唆するといった、搬送波に関係するチャネル品質の指標が対立し矛盾するときでさえも、異なる搬送波周波数に変調された２つ以上の信号を統合して送信するためにアンテナ３２０、３２２を選択する手段を提供する。ここで説明した実施例は、無線伝播、トラフィック負荷、干渉などに関し、最良の動作条件を経験する搬送波において、耐性があり、高い実行性能のある動作を保証するのを助けるものとなる。さらにその上、不必要なアンテナ切り換え決定の量やアップリンク信号における関係した遷移状態を低減することにより、全体的な受信性能も向上させることができる。
【００３８】
もちろん、本発明は、本発明の本質的な特徴を逸脱することなく、ここで具体的に説明したもの以外の方法で実行されても良い。本発明の実施例は全ての面において例示的なものであると考えられ、限定的なものではない。そして、添付した請求の範囲の意味とその均等的な範囲にある全ての変更は、本発明に含まれるものであることが意図されている。
【図１】
2013507825.tif 000003
【図２】
2013507825.tif 000004
【図３】
2013507825.tif 000005
【図４】
2013507825.tif 000006
【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
マルチキャリア高速アップリンクパケットアクセス（ＭＣ−ＨＳＵＰＡ）無線通信ネットワークにおいてＴｘダイバーシチを実施するＵＥ（３００）によるアンテナ選択の方法（４００）であって、
前記ＵＥ（３００）は１つのアンテナ（３２０，３２２）を用いて、各々が異なる搬送波周波数に変調された２つ以上のアップリンク信号を送信するよう動作し、前記アンテナと同じアンテナ（３２０，３２２）を用いて送信される前記搬送波周波数に関し、
特定のアンテナ（３２０，３２２）を用いて信号を送信するとき、好適なアンテナ（３２０，３２２）を、各搬送波に関して受信したフィードバックに基づいて、当該搬送波周波数と関係づける工程（４０２）と、
各搬送波周波数に関係したチャネル条件を評価する工程（４０４）と、
１つ以上の搬送波周波数を前記チャネル条件に基づいて選択する工程（４０６）と、
前記選択された搬送波周波数に関係した前記好適なアンテナ（３２０，３２２）を選択する工程（４０８）とを有することを特徴とする方法。
【請求項２】
前記特定のアンテナ（３２０，３２２）を用いて信号を送信するときの搬送波に関するフィードバックは、送信電力制御（ＴＰＣ）コマンドを含むことを特徴とする請求項１に記載の方法。
【請求項３】
前記各搬送波周波数に関係したチャネル条件を評価する工程（４０４）は、各搬送波周波数に関係した１つ以上の品質の指標を含むことを特徴とする請求項１に記載の方法。
【請求項４】
前記品質の指標はサービング許可の値を含むことを特徴とする請求項３に記載の方法。
【請求項５】
前記品質の指標はスケジュールされた許可の値を含むことを特徴とする請求項３に記載の方法。
【請求項６】
前記品質の指標は、前記ＵＥ（３００）が前記各搬送波において用いる全送信電力を含むことを特徴とする請求項３に記載の方法。
【請求項７】
前記１つ以上の搬送波周波数を前記チャネル条件に基づいて選択する工程（４０６）は、前記選択されたアンテナ（３２０，３２２）を用いて送信される前記搬送波周波数全ての中で、最も有利であるとされた、関係したチャネル条件をもつ１つの搬送波周波数を選択する工程を含むことを特徴とする請求項３に記載の方法。
【請求項８】
前記最も有利であるとされた、関係したチャネル条件をもつ１つの搬送波周波数を選択する工程は、最も高い値のサービング許可の値をもつ搬送波周波数を選択する工程を含むことを特徴とする請求項７に記載の方法。
【請求項９】
前記最も有利であるとされた、関係したチャネル条件をもつ１つの搬送波周波数を選択する工程はさらに、前記最も高い値のサービング許可の値をもつ搬送波に対応する受信した送信電力制御（ＴＰＣ）コマンドに基づいて前記搬送波周波数を選択する工程を含むことを特徴とする請求項８に記載の方法。
【請求項１０】
前記１つ以上の搬送波周波数を前記チャネル条件に基づいて選択する工程（４０６）は、選択されたアンテナ（３２０，３２２）で送信される全ての搬送波周波数に関するチャネル条件の重み付け合計を形成する工程を含み、
前記好適なアンテナ（３２０，３２２）を選択する工程（４０８）は、最も重い重みが付けられた搬送波周波数に関係する好適なアンテナ（３２０，３２２）を選択する工程を含むことを特徴とする請求項３に記載の方法。
【請求項１１】
前記チャネル条件の重み付け合計を形成する工程は、前記選択されたアンテナ（３２０，３２２）で送信される搬送波周波数全てに関し、各々が重み付けされた第１のチャネル品質の指標を合計する工程を含み、該重み付けは、搬送波周波数に関する第２のチャネル品質の指標と前記搬送波周波数全てに関する前記第２のチャネル品質の指標の合計との比により前記第１のチャネル品質の指標各々が重み付けされることを特徴とする請求項１０に記載の方法。
【請求項１２】
前記チャネル条件の重み付け合計を形成する工程は、前記選択されたアンテナ（３２０，３２２）で送信される搬送波周波数全てに関するサービング許可の値の合計に対する各搬送波周波数に関するサービング許可の値の比により、当該各搬送波周波数に関して受信した送信電力制御（ＴＰＣ）コマンドを重み付けする工程を含むことを特徴とする請求項１１に記載の方法。
【請求項１３】
前記チャネル条件の重み付け合計を形成する工程はさらに、所定のファクタで各搬送波周波数を重み付けする工程を含むことを特徴とする請求項１１に記載の方法。
【請求項１４】
プライマリアップリンク搬送波周波数は、セカンダリアップリンク搬送波周波数より重い重み付けがなされることを特徴とする請求項１３に記載の方法。
【請求項１５】
前記１つ以上の搬送波周波数を前記チャネル条件に基づいて選択する工程（４０６）は、複数のチャネル品質の指標において、１つ以上所定の閾値を越えた１つ以上の搬送波周波数を選択する工程を含むことを特徴とする請求項３に記載の方法。
【請求項１６】
各搬送波周波数に対する前記閾値は、前記選択されたアンテナ（３２０，３２２）を用いて送信される他の全ての搬送波周波数に関する対応する複数のチャネル品質の指標の最大値により当該各搬送波周波数に関するチャネル品質の指標を除算した値であることを特徴とする請求項１５に記載の方法。
【請求項１７】
各搬送波周波数に対する前記所定の閾値は、前記ネットワークにより構成設定されることを特徴とする請求項１５に記載の方法。
【請求項１８】
各搬送波周波数に対する前記所定の閾値は、Ｌ３シグナリングを介して無線ネットワーク制御装置（ＲＮＣ）により構成設定されることを特徴とする請求項１７に記載の方法。
【請求項１９】
前記搬送波周波数に対する前記所定の閾値は、ただ１つの所定の搬送波周波数が選択されるようになっていることを特徴とする請求項１７に記載の方法。
【請求項２０】
前記１つ以上の搬送波周波数を前記チャネル条件に基づいて選択する工程（４０６）は、業界標準により規定された規則に基づいて１つ以上の搬送波周波数を選択する工程を含むことを特徴とする請求項１に記載の方法。
【請求項２１】
前記１つ以上の搬送波周波数を前記チャネル条件に基づいて選択する工程（４０６）は、前記ＵＥ（３３０）のサービングノードにより規定され、Ｌ１／Ｌ２シグナリングを介して前記ＵＥ（３００）に送信される規則に基づいて、１つ以上の搬送波周波数を選択する工程を含むことを特徴とする請求項１に記載の方法。
【請求項２２】
前記１つ以上の搬送波周波数を前記チャネル条件に基づいて選択する工程は、ネットワークノードにより規定され、Ｌ３シグナリングを介して前記ＵＥ（３００）に送信される規則に基づいて、１つ以上の搬送波周波数を選択する工程を含むことを特徴とする請求項１に記載の方法。
【請求項２３】
マルチキャリア高速アップリンクパケットアクセス（ＭＣ−ＨＳＵＰＡ）無線通信ネットワークにおいてＴｘダイバーシチを実施するユーザ装置（ＵＥ）（３００）であって、
前記ＵＥ（３００）は１つのアンテナ（３２０，３２２）を用いて、各々が異なる搬送波周波数に変調された２つ以上のアップリンク信号を送信するよう動作し、
少なくとも１つの送信電力増幅器（３１４）と、
２つ以上のアンテナ（３２０，３２２）と、
前記２つ以上のアンテナ（３２０，３２２）の１つに二者択一的に前記電力増幅器の出力を向けるように動作するスイッチ機能（３１６）と、
前記ネットワークからの少なくともチャネル条件のフィードバックを受信するよう動作する受信器（３２６）と、
異なる複数の搬送波周波数で２つ以上の信号を送信するためのアンテナ（３２０，３２２）を選択するように前記スイッチ機能（３１６）を制御するよう動作するアンテナ選択機能（３２４）とを有し、
前記アンテナ選択機能（３２４）はさらに、
特定のアンテナ（３２０，３２２）を用いて信号を送信するとき、好適なアンテナ（３２０，３２２）を、各搬送波に関して受信したフィードバックに基づいて、当該搬送波周波数と関係づけ（４０２）、
各搬送波周波数に関係するチャネル条件を評価し（４０４）、
前記チャネル条件に基づいて１つ以上の搬送波周波数を選択し（４０６）、
前記選択した搬送波周波数に関係した前記好適なアンテナを選択する（４０８）よう動作することを特徴とするユーザ装置。
【国際調査報告】
2013507825.tif 000007
2013507825.tif 000008
2013507825.tif 000009